【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
所定の温度に冷却された空気を導入する空気供給装置と、
この空気供給装置により導入された空気を穀粒の間を通過させ、穀粒と空気との間で熱交換を行わせる熱交換機本体と、
穀粒と熱交換を行うことにより温度の上昇した空気を排出する空気排出装置とを有し、穀粒と空気との間で熱交換を行わせることによって穀粒を冷却する穀粒の冷却装置であって、
前記熱交換機本体は、その内部に、
前記空気供給装置で供給された空気を穀粒の間に導入して分散させる複数の空気供給樋と、
穀粒との間で熱交換を行うことによって温度の上昇した空気を集めて前記空気排出装置で排出する複数の空気排出樋とを備え、
前記複数の空気供給樋が下段側に、前記複数の空気排出樋が上段側に配置され、
前記複数の空気供給樋は、それぞれほぼ平行に並列して配置され、
前記空気供給樋は、その断面形状が中央部が上に凸となる形状に形成されるとともに下部が開放されており、隣接する前記空気供給樋間にほぼ平行な流路が形成されるように、前記上に凸となる形状に形成された上部と前記開放された下部との間の対向する２つの側面部がほぼ平行に形成されたことを特徴とする穀粒の冷却装置。
【手続補正２】
【補正対象書類名】明細書
【補正対象項目名】０００７
【補正方法】変更
【補正の内容】
【０００７】
上記課題を解決するために、本発明に係る穀粒の冷却装置は、所定の温度に冷却された空気を導入する空気供給装置と、この空気供給装置により導入された空気を穀粒の間を通過させ、穀粒と空気との間で熱交換を行わせる熱交換機本体と、穀粒と熱交換を行うことにより温度の上昇した空気を排出する空気排出装置とを有し、穀粒と空気との間で熱交換を行わせることによって穀粒を冷却する穀粒の冷却装置であって、前記熱交換機本体は、その内部に、前記空気供給装置で供給された空気を穀粒の間に導入して分散させる複数の空気供給樋と、穀粒との間で熱交換を行うことによって温度の上昇した空気を集めて前記空気排出装置で排出する複数の空気排出樋とを備え、前記複数の空気供給樋が下段側に、前記複数の空気排出樋が上段側に配置され、前記複数の空気供給樋は、それぞれほぼ平行に並列して配置され、前記空気供給樋は、その断面形状が中央部が上に凸となる形状に形成されるとともに下部が開放されており、隣接する前記空気供給樋間にほぼ平行な流路が形成されるように、前記上に凸となる形状に形成された上部と前記開放された下部との間の対向する２つの側面部がほぼ平行に形成されたことを特徴とするものである。
【手続補正３】
【補正対象書類名】明細書
【補正対象項目名】０００８
【補正方法】変更
【補正の内容】
【０００８】
ここで、前記複数の空気排出樋は、それぞれ平行に並列して配置されているのが好ましい。
また、前記空気排出樋は、その延在方向の端部で、前記熱交換機本体の側壁に設けられ、前記空気排出樋の断面形状と略同じ形状を持つ第１の開口部を介して、前記空気排出装置に連結されているのが好ましい。
また、前記第１の開口部の下端部は、前記空気排出樋の前記開放された下部より上方に位置するのが好ましい。
【手続補正４】
【補正対象書類名】明細書
【補正対象項目名】０００９
【補正方法】変更
【補正の内容】
【０００９】
また、前記空気供給樋は、その延在方向の端部で、前記熱交換機本体の側壁に設けられ、前記空気供給樋の断面形状と略同じ形状を持つ第２の開口部を介して、前記空気供給装置に連結されているのが好ましい。
また、前記第１の開口部と前記第２の開口部とは、それぞれ前記熱交換機本体の対向する側壁に設けられるのが好ましい。
また、前記複数の空気供給樋と前記複数の空気排出樋とが、相互に千鳥状に対を成して配置されているのが好ましい。
【手続補正５】
【補正対象書類名】明細書
【補正対象項目名】００１２
【補正方法】変更
【補正の内容】
【００１２】
また、前記第１の開口部の下端部は、前記空気排出樋の前記開放された下部より上方に位置するのが好ましい。
また、前記空気供給樋は、その延在方向の端部で、前記熱交換機本体の側壁に設けられ、前記空気供給樋の断面形状と略同じ形状を持つ第２の開口部を介して、前記空気供給装置に連結されているのが好ましい。
また、前記複数の空気供給樋は、それぞれほぼ平行に並列して配置され、前記空気供給樋は、その断面形状が中央部が上に凸となる形状に形成されるとともに下部が開放されており、隣接する前記空気供給樋間にほぼ平行な流路が形成されるように、前記上に凸となる形状に形成された上部と前記開放された下部との間の対向する２つの側面部がほぼ平行に形成されたのが好ましい。
また、前記第１の開口部と前記第２の開口部とは、それぞれ、前記前記熱交換機本体の対向する側壁に設けられるのが好ましい。
【手続補正６】
【補正対象書類名】明細書
【補正対象項目名】００１４
【補正方法】変更
【補正の内容】
【００１４】
本発明に係る穀粒の冷却装置は、所定の温度に冷却された空気を導入する空気供給装置と、この導入された空気を穀粒の間を通過させ、穀粒と空気の間で熱交換を行わせる熱交換機本体と、穀粒と熱交換を行って温度の上昇した空気を排出する空気排出装置とを有し、穀粒と空気の間で熱交換を行わせることによって穀粒を冷却する穀粒の冷却装置において、複数の空気供給樋が、それぞれほぼ平行に並列して配置され、かつ、空気排出樋に対し下段に配置され、さらに、前記空気供給樋は、その断面形状が中央部が上に凸となる形状に形成されるとともに下部が開放されており、隣接する前記空気供給樋間にほぼ平行な流路が形成されるように、前記上に凸となる形状に形成された上部と前記開放された下部との間の対向する２つの側面部がほぼ平行に形成されたため、温度の高い小麦と温度の低い空気とが対向する方向に移動しながら熱交換する対向流となり、小麦は隣接する空気供給樋間に形成された対向流の中を熱交換しながら通過するので、短時間で効率よく且つエネルギー効率の高い冷却を行う熱交換機を得ることができたものである。
【手続補正７】
【補正対象書類名】明細書
【補正対象項目名】００２５
【補正方法】変更
【補正の内容】
【００２５】
図４は、給気管２０と排気管２２の接続部２４ａ，２４ｂおよび２６ａ，２６ｂにそれぞれ連結された空気供給樋２８と空気排出樋３０との配列を示す側断面図である。図に示すように、熱交換機本体１０を構成するチェックビン１２の内側には、その断面形状が、中央部が上に凸となる形状、また、下部が開放された形状の空気供給樋２８と空気排出樋３０とが、チェックビン１２の全幅にわたって、相互に平行に多数並列して千鳥状に配置されている。空気供給樋２８と空気排出樋３０のセットにおいて、空気供給樋２８は下段に、空気排出樋３０は上段に配置されている。空気供給樋２８は、その断面形状が中央部が上に凸となる形状に形成されるとともに下部が開放されており、隣接する前記空気供給樋２８間にほぼ平行な流路が形成されるように、前記上に凸となる形状に形成された上部と前記開放された下部との間の対向する２つの側面部がほぼ平行に形成されている。
【手続補正８】
【補正対象書類名】明細書
【補正対象項目名】００２９
【補正方法】変更
【補正の内容】
【００２９】
本発明者の実験によれば、ここで、上述の空気供給樋２８と空気排出樋３０との配置については、前述の通り、空気供給樋２８相互間の流路をほぼ平行とするとともに、その縦横比（縦／横）を２以上とすることが好ましい。